(57)【要約】  本発明は、公共のバスルームなどのバスルーム内において通常見出される個室内において取り付けられたドア上の施錠部材の解錠によって起動されるトイレの水洗の起動、監視、及び管理システムに関する。
2021511460.tif 000002
【特許請求の範囲】
【請求項１】
バスルーム個室内のトイレの水洗を管理するシステムであって、
（ｉ）ドア施錠部材であって、
ドア錠チャンバ、
第１位置から第２位置に平行運動する能力を有するスライダであって、前記スライダは、第１端部及び前記第１端部とは反対側の第２端部を有し、前記第１位置における前記スライダの第１端部は、前記ドアロックチャンバ内において挿入されており、且つ、前記第２位置における前記スライダ第１端部は、前記ドアロックチャンバから自由な状態にある、スライダ、
前記ドア施錠部材と関連する信号エミッタであって、前記スライダが前記第２位置にある際に、無線信号を水洗信号レシーバに送信するように構成された信号エミッタ、
前記スライダが前記第２位置にある際に、前記スライダを検知するべく構成されたセンサであって、前記信号エミッタに動作自在に接続されたセンサ
を有するドア施錠部材と、
（ｉｉ）前記水洗信号レシーバに動作自在に結合されたトイレ水洗コントローラと、
（ｉｉｉ）前記トイレ水洗コントローラによって制御されるトイレ水洗アクチュエータであって、前記トイレ水洗コントローラは、前記トイレ水洗アクチュエータの連続的な作動の間において経過する少なくとも最小遅延期間にわたって待機するように構成され、前記最小遅延期間は、前記スライダ動作の頻度及び前記トイレが水洗された回数に基づいて判定され、且つ、前記信号エミッタは、前記スライダが前記第２位置に平行運動したことを検知した際に、信号を前記水洗信号レシーバに送信するように構成され、前記トイレ水洗コントローラは、前記ドアが解錠された際に、１回のトイレの水洗を起動するように、前記トイレ水洗アクチュエータを制御するべく構成されている、トイレ水洗アクチュエータと、
を有するシステム。
【請求項２】
水洗が起動されうる、５〜２４０秒の時間インターバルを設定するように構成されたシステムコントローラを更に有する請求項１に記載のシステム。
【請求項３】
前記システムコントローラは、バスルーム内のすべてのトイレについて前記水洗インターバルの持続時間を設定するように構成される請求項２に記載のシステム。
【請求項４】
前記システムコントローラは、建物内のすべてのトイレについて前記水洗インターバルの持続時間を設定するように構成される請求項２に記載のシステム。
【請求項５】
前記システムコントローラは、任意のトイレが、その以前の水洗の後に、５〜２４０秒の期間にわたって水洗することを防止するように構成される請求項２に記載のシステム。
【請求項６】
前記トイレを手動で水洗するべく前記水洗装置に動作自在に結合されたトイレハンドル、レバー、又はボタンを更に有する請求項１に記載のシステム。
【請求項７】
前記信号は、Bluetooth（登録商標）信号又は高周波信号である請求項１に記載のシステム。
【請求項８】
前記センサ、信号エミッタ、水洗信号レシーバ、及びトイレ水洗コントローラは、１つ又は複数の太陽電池又は１つ又は複数の電池によってエネルギー供給される請求項１に記載のシステム。
【請求項９】
バスルーム個室内のトイレの水洗を管理する方法であって、
（ｉ）第１端部及び前記第１端部とは反対側の第２端部、信号エミッタ、及びセンサを有するスライダ、
水洗信号レシーバ、
トイレ水洗コントローラ、及び、
トイレ水洗アクチュエータ、
を有するドア施錠部材を有する装置を提供することと
（ｉｉ）前記センサによる前記スライダの前記第２端部の位置の検出の際に前記信号エミッタによって信号を前記水洗信号レシーバに送信することと、
（ｉｉｉ）前記トイレ水洗コントローラによって前記トイレ水洗アクチュエータを制御することと、
（ｉｖ）前記スライダの第２端部位置が前記センサによって検出された際に、前記トイレ水洗アクチュエータによる１回のトイレ水洗を前記トイレ水洗コントローラによって起動することと、
（ｖ）システムコントローラによって前記スライダの動作の頻度を記録することと、
（ｖｉ）トイレが水洗した回数を判定することと、
（ｖｉｉ）前記トイレ水洗アクチュエータの連続的な作動の間において経過する少なくとも最小遅延期間にわたって待機するように前記トイレ水洗コントローラを構成することであって、前記最小遅延期間は、前記スライダの動作の頻度及び前記トイレが水洗された回数に基づいて判定されている、ことと、
を含む方法。
【請求項１０】
バスルーム個室内のトイレの水洗を管理する方法であって、
個室ドアラッチ内の信号エミッタから無線信号を受け取ることであって、前記無線信号は、前記個室ドア施錠部材内の前記スライダの後退を通知している、ことと、
前記無線信号の受信に応答して、トイレの水洗を開始するように、水洗アクチュエータをトリガすることと、
を含む方法。 
【発明の詳細な説明】
【技術分野】
【０００１】
発明の技術分野
[0001]  本発明は、例えば、限定を伴うことなしに、通常は、空港、大学キャンパスの建物、公共の建物、スポーツ競技場、及びエンターテインメントイベントなどの、多数の人々を収容する場所において見出される、バスルーム個室内のトイレなどの、トイレにおけるトイレの水洗を管理し、且つ、下水消費を監視するシステムに関する。
【背景技術】
【０００２】
背景
[0002]  例えば、事務所、学校、空港、及び公園内において見出されるものなどの、公共のバスルームは、ユーザーのプライバシーを維持するべく個室内において配置されたトイレを有する。ユーザーは、通常、入った後に、個室ドアを施錠し、且つ、出る際には、個室ドアを解錠する。
【０００３】
[0003]  多数の人々にサービスするべく設計されたトイレ内においては、トイレハンドル、レバー、又はボタンなどの手動水洗と、センサ及び自動化された水洗メカニズムによって起動される自動水洗と、という、２つの標準的なタイプのトイレ水洗メカニズムが存在している。
【０００４】
[0004]  手動水洗の場合には、トイレは、手動的に作動する、且つ、作動した際にトイレを水洗する水洗メカニズムに動作自在に結合された、ハンドル、レバー、又はボタンを有する。この方法は、意図的なトイレの水洗をもたらすべく、ユーザーに完全に依存しており、これは、高度な水準の公衆衛生が必要とされている場所の場合には、問題となりうる。ユーザーは、しばしば、トイレを水洗しようという気にならず、その理由は、例えば、水洗が余分な時間及び努力を必要としているからであり、又は、水洗には、ユーザーにとっては個人的に取るに足らない結果しか生成しない、ユーザー汚染のリスクしか伴っていないからである。
【０００５】
[0005]  ユーザーが水洗してくれないという問題を軽減するべく、多くの施設は、自動水洗トイレを設置している。自動水洗トイレは、通常、ユーザーとトイレとの間の距離を検出する赤外線又は超音波センサを有する。ユーザーが、個室に入り、且つ、次いで、トイレから出て離れた際に、センサは、ユーザーとトイレの間の既定の距離が充足されたことを検出し、且つ、センサは、水洗するように、トイレをトリガする。
【０００６】
[0006]  自動トイレ水洗システムは、非常に人気があり、且つ、特定の場所において必要とされてさえいる。これらのシステムは、トイレをきれいな状態において維持し、且つ、細菌伝播の発生及び伝染病の伝染の可能性を低減している。不都合なことに、自動水洗トイレは、しばしば、その水洗が不十分であり、又は、更に一般的には、その水洗が頻繁過ぎる。コートを吊るす、リュックを置く、又はトイレットペーパーによって便座を覆う、などの動作に起因して、ユーザーは、意図することなしに又は不必要に、自動的なトイレ水洗シーケンスをトリガする場合がある。特に、一日に、数百回、又は数千回さえにもわたって使用されうる、公共のバスルーム内のトイレにおける、余分な水洗は、時間に伴って著しく蓄積しうると共に、大量の水の浪費を生成しうる。
【発明の概要】
【発明が解決しようとする課題】
【０００７】
発明の概要
[0007]  本発明の主要な利点は、現時点において既存の自動トイレ水洗システムとの比較において、トイレの水洗を要する時点と、トイレが使用された頻度と、を相対的に格段に正確に判定することによる水の節約にある。従来技術のシステムは、トイレからのユーザーの距離を計測しており、これは、ユーザーがトレイを実際に使用したかどうか、又は、上述のような、なんらかの無関係な振る舞いを実行しているかどうか、の判定における誤りに起因して、ユーザーがトイレを使用した際の又は場合の、有効な予測変数ではない。トイレの使用及び水の消費の最良のインジケータは、ユーザーが個室を出ることができるようにドアを開くための、トイレの個室ドアの解錠である。本発明は、トイレの使用が完了したという唯一のインジケータとして、ユーザーが個室ドアを解錠する信頼性に基づいていることから、本発明は、個室ドアの解錠動作を使用してトイレを水洗する時点を判定している。従って、その他のユーザーの振る舞いが、なんらの意図しない水洗をも起動しないことから、それぞれのトイレの使用ごとに、トイレが水洗することになる、且つ、必要に応じて、一度だけ、水洗することになる、尤度が、改善される。既存のシステムとの比較において、トイレの公衆衛生のレベルが改善される、のみならず、過剰な且つ望ましくない水の浪費を結果的にもたらす、不必要な水洗の数が顕著に制限される。
【０００８】
[0008]  本発明の第２の主要な利点は、水洗に伴って、必ずしも、ユーザーが不便になってはいないという点にある。ユーザーは、ほとんど常に、プライバシーを維持するべく、個室ドアを施錠及び解錠していることから、トイレの水洗をトリガするように施錠−解錠ステップを変更することにより、トレイは、ユーザーの側におけるなんらの更なる努力をも伴うことなしに、ユーザーがトイレの個室を離れることに伴って、水洗することになる。
【０００９】
[0009]  任意選択により、個室ドアが解錠された際にトイレが自動的に水洗するようになっていることをユーザーに通知することにより、ユーザーによるうっかりとした手動水洗を回避又は低減するサインを個室ドアの内側又は外側に追加することもできる。
【００１０】
[0010]  本発明の第３の主要な利点は、センサに基づいた自動トイレ水洗システムと関連する、同一の公衆衛生上の利益を含んでいる、という点にある。
【課題を解決するための手段】
【００１１】
[0011]  一態様によれば、本発明は、バスルーム個室内におけるトイレの水洗を管理するシステムに関する。システムは、ドア施錠部材、トイレ水洗コントローラ、及びトイレ水洗アクチュエータを有する。
【００１２】
[0012]  本発明の一実施形態においては、システムのドア施錠部材は、通常は、個室ポストに装着された、ドア錠チャンバと、通常は、個室ドアに装着された、且つ、ドア錠チャンバとアライメントされた、スライダと、ドア施錠部材と関連する信号エミッタを封入するハウジングと、を含み、信号エミッタは、トイレ水洗コントローラ及びトイレ水洗アクチュエータを有するトイレ水洗メカニズムと関連する水洗信号レシーバに無線信号を送信するように構成されている。施錠部材は、スライダの位置を検知するセンサと、センサから入力を受け取り、且つ、信号エミッタによる信号の水洗信号レシーバへの送信を起動する、ドアハウジングコントローラと、通常は、カバーを有するハウジング内において封入された１つ又は複数の電池及びＳＤカードと、を更に含む。ドアハウジングコントローラは、更には、任意選択により、電池及びＳＤカードの機能を調節することができる。ＳＤカードは、任意選択により、限定を伴うことなしに、センサ入力及び信号エミッタ出力を含む、ドアハウジングコントローラから受け取られたデータを保存することができる。
【００１３】
[0013]  スライダは、第１位置から第２位置に平行運動する能力を有し、且つ、第１端部又は近端と、反対側の第２端部又は遠端と、を有する。スライダの第１位置において、スライダの第１端部は、ドアロックチャンバ内において挿入されており、且つ、第２位置において、スライダの第１端部は、ドアロックチャンバの外側において位置決めされており、即ち、これから自由な状態にある。個室ドアは、スライダが第２位置にない限り、開放することができない。センサは、スライダが第２位置にある際にスライダを検知するべく構成されており、且つ、信号エミッタに動作自在に接続されており、これにより、スライダの検出位置をドアハウジングコントローラに伝達している。ドアハウジングコントローラは、信号を水洗信号レシーバに送信するように信号エミッタをトリガしている。トイレ水洗コントローラは、水洗信号レシーバに動作自在に結合されている。
【００１４】
[0014]  トイレ水洗アクチュエータは、トイレ水洗コントローラによって制御されている。
【００１５】
[0015]  信号エミッタは、スライダの第２位置への平行運動をセンサが検出したという、センサからドアハウジングコントローラに送信された信号を検知した際に、例えば、Bluetooth（登録商標）又は高周波信号などの、信号を水洗信号レシーバに送信するように構成されており、トイレ水洗コントローラは、個室ドアが解錠された際に１回の水洗を起動するように水洗アクチュエータを制御するべく構成されている。
【００１６】
[0016]  一実施形態においては、システムは、水洗が起動されうる、５秒〜２４０秒の時間インターバルを設定するように構成されたシステムコントローラを更に有する。システムコントローラは、無線で、又は、有線接続を通じて、ドアハウジングコントローラ及びトイレ水洗コントローラの両方と通信する能力を有する。システムコントローラは、バスルーム内のすべてのトイレの水洗インターバルの持続時間及び／又は建物内のすべてのトイレの水洗インターバルの持続時間を設定する能力を有し、且つ、任意のトイレが、その以前の水洗の後の５〜２４０秒の期間にわたって水洗することを防止するように構成することができる。
【００１７】
[0017]  本発明による別の実施形態においては、システムは、トレイを手動水洗するためのトイレハンドル、レバー、又はボタン、並びに／或いは、センサ、ドアハウジングコントローラ、信号エミッタ、水洗信号レシーバ、トイレ水洗コントローラ、及びトイレ水洗アクチュエータのうちの１つ又は複数にエネルギー供給するための１つ又は複数の太陽電池又は電池を更に有する。
【００１８】
[0018]  別の態様においては、本発明は、バスルーム個室内におけるトイレの水洗を管理する方法に関する。一実施形態においては、方法は、個室ドアラッチ内の信号エミッタから無線信号を受け取ることであって、無線信号は、個室ドア施錠部材内のスライダの後退を通知している、ことと、無線信号の受信に応答してトイレの水洗を起動するように水洗アクチュエータをトリガすることと、を含む。
【００１９】
[0019]  別の実施形態においては、バスルーム個室内のトイレ水洗を管理する方法は、センサによって個室ラッチスライダの後退を検知することと、スライダによる後退の検知に応答して、信号エミッタによって無線信号を放出することと、を含み、この場合に、無線信号は、水洗信号レシーバにマッチングされている。この方法は、水洗信号レシーバによって無線信号を受け取ることと、水洗信号レシーバによる無線信号の受信に応答して、水洗信号レシーバとの通信状態にあるトイレ水洗コントローラによって水洗アクチュエータをトリガすることと、を更に含むことができる。
【００２０】
[0020]  更に別の実施形態においては、バスルーム個室内のトイレの水洗を管理する方法は、第１端部及び第１端部の反対側の第２端部を有するスライダ、信号エミッタ、及びセンサを有するドア施錠部材と、水洗信号レシーバと、トイレ水洗コントローラと、トイレ水洗アクチュエータと、を有する装置を提供することを有する。加えて、方法は、センサによるスライダの第２端部の位置の検出の際に、信号エミッタによって信号を水洗信号レシーバに送信することと、トイレ水洗コントローラによってトイレ水洗アクチュエータを制御することと、スライダの第２端部位置がセンサによって検出された際に、トイレ水洗アクチュエータによる１回のトイレ水洗をトイレ水洗コントローラによって起動することと、任意選択により、ドアハウジングコントローラによるスライダの動作の頻度をＳＤカード上に記録することと、を含む。
【図面の簡単な説明】
【００２１】
図面の説明
【図１Ａ】[0021]本発明による自動トイレ水洗システムの一実施形態を示す。
【図１Ｂ】[0022]本発明による、図１に示されている個室ドア施錠メカニズムの一実施形態の例示用の等角図である。
【図１Ｃ】[0023]図１Ｂに示されている装置の分解図である。
【図１Ｄ】[0024]図１Ｂに示されている施錠メカニズムの電子コンポーネントを封入する例示用のハウジングの開放正面図である。
【図２Ａ】[0025]本発明による、図１Ｂに示されているトイレ水洗システムの実施形態の閉鎖（第１）位置における個室ドアスライダ錠の一実施形態を示す。
【図２Ｂ】[0026]図１Ｂに示されているトイレ水洗システムの実施形態の開放（第２）位置における個室ドアスライダ錠の一実施形態を示す。
【図３】[0027]本発明による、図１Ｂに示されている施錠メカニズムの実施形態のハウジングの側面図を示す。
【図４】[0028]図１Ｂに示されている施錠メカニズムの実施形態のスライダの側面図を示す。
【発明を実施するための形態】
【００２２】
発明の説明
[0029]  ユーザーの機能性又は利便性を犠牲にすることのない本解決策は、現時点のトイレ水洗メカニズムの過剰に少ない数又は過剰に多くの数の水洗という特性などの欠点に対処している。本解決策は、トイレの個室ドアの解錠によってトイレ水洗シーケンスを起動する装置及びその方法である。
【００２３】
[0030]  本明細書において使用されている、個室は、その使用を促すべく、通常のトイレユーザーに十分なプライバシーを提供することになる、ドア及び任意の数の側部を有する、屋根又は天井を有する又は有していない、任意の壁を有する囲いであってよく、且つ、限定を伴うことなしに、矩形、ピラミッド形、円筒形、及び台形を含む、任意の形状であってよい。
【００２４】
[0031]  本明細書において開示されている本発明は、トイレ水洗管理システムと、トイレの手動水洗を必要としない、自動化されたトイレ水洗システムと、を対象としている。トイレの手動水洗は、本発明と共に含まれうる一選択肢である。
【００２５】
[0032]  図１Ａ〜図１Ｄは、トイレ水洗管理システムを示している。図１Ａには、トイレ水洗管理システム１０の全体的な方式が示されている。システム１０は、トイレ７を収容している個室、以下においては、トイレ個室のドア１００に付着された個室ドア施錠部材１１０を含む。
【００２６】
[0033]  システム１０は、水洗信号レシーバ３と、水洗アクチュエータ５と、トイレ７による水洗を起動するためのトイレ水洗アクチュエータ５と関連するトイレ水洗コントローラ１６と、を有するトイレ水洗メカニズム１１２を更に含む。
【００２７】
[0034]  図１Ｂ〜図１Ｄを参照すれば、施錠部材１１０は、スライダ１２と、スライダ位置を検知するためのセンサ４を封入するハウジング１９と、トイレ水洗メカニズム１１２と関連する水洗信号レシーバ３に信号を送信する信号エミッタ１と、ドアハウジングコントローラ２７と、１つ又は複数の電池２５を封入する電池コンパートメント２６と、ＳＤカード２８と、カバー２２と、を含む。施錠部材１１０は、個室ポスト８上において位置決めされた錠チャンバ６を更に含む。錠チャンバ６は、スライダ１２とアライメントされている。
【００２８】
[0035]  図２Ａ及び図２Ｂを参照すれば、スライダ１２は、第１（閉鎖）位置と第２（開放）位置の間における手動による往復運動の能力を有する。図２Ａにおいて示されている、第１位置においては、個室ドア１００が閉鎖及び施錠された際に、スライダ１２の近端１５が、錠チャンバ６内において挿入されている。スライダ１２の近端１５は、個室ドア１００が閉鎖されない限り、錠チャンバ６内において挿入することができない。
【００２９】
[0036]  図２Ｂに示されている第２位置においては、図１Ａに示されているチャンバ６内において挿入されていたスライダ１２の近端１５が、錠チャンバ６の外側において位置決めされており、即ち、これから自由な状態にある。第２位置においては、スライダの近端１５とは反対側のスライダ１２の遠端１７は、センサ４に接触し、及び／又は、センサ４によって検知され、これにより、個室ドア１００が開放状態にある際に、トイレ又は関連するトイレ配管上において位置決めされた水洗信号レシーバ３に送信される信号を放出するべく、ハウジング１９（図１Ｄ）内において封入された信号エミッタ１からの信号が起動される。
【００３０】
[0037]  スライダ１２の近端１５が錠チャンバ６内において位置決めされている第１位置からスライダ１２の近端１５がチャンバ６から自由な状態にある第２位置にスライダ１２を運動させることにより、個室ドアが解錠されるたびに、スライダ１２の反対側の遠端１７が、センサ４に接触し、及び／又は、センサ４により、検知される。センサ４は、スライダ１２の遠端１７との接触の際に、及び／又は、その検知の際に、高周波又はBluetooth（登録商標）信号などの無線信号又は有線信号を水洗信号レシーバ３に送信することにより、水洗を起動するように、トイレ７上の水洗アクチュエータ５に動作自在に結合されたトイレ水洗コントローラ１６をトリガするべく、信号エミッタ１をトリガしている。
【００３１】
[0038]  センサ４は、様々な異なるセンサ又はセンサの組合せが可能である。可能なセンサの例は、限定を伴うことなしに、接触センサ、磁気近接性センサ、振動センサ、赤外線センサ、又は超音波センサを含む。
【００３２】
[0039]  本発明の一実施形態においては、接触センサ４は、スライダ１２が第１位置から第２位置に移動するたびに、スライダ１２がセンサ４と物理的な接触を実施するように、ハウジング１９内若しくは上において、又は、個室ドア１００上において、位置決めされている。このような接触は、水洗の作動を通知している。
【００３３】
[0040]  別の実施形態においては、ハウジング１９内若しくは上において、又は、個室ドア１００上において、位置決めされた磁気近接性センサ４が、スライダ１２に付着された、磁石又は、例えば、金属片などの磁化材料１４ａ、１４ｂの存在を検出するべく、使用されている。第２位置へのスライダ１２の移動の際に、磁石又は磁化金属片１４ａ、１４ｂは、磁気近接性センサ４をトリガし、これにより、水洗の作動を通知する。磁石又は磁化材料の数は、図示のものに限定されてはいない。
【００３４】
[0041]  更に別の実施形態においては、接触センサに類似した、振動センサ４が、スライダ１２が第１位置から第２位置に移動するたびに、スライダ１２がセンサ４との物理的な接触を実施するように、ハウジング１９内若しくは上において、又は、個室ドア１００上において、位置決めされている。振動センサ４は、スライダ１２の衝撃を検出し、これにより、水洗の作動を通知している。
【００３５】
[0042]  更に別の実施形態においては、赤外線センサ４が、ハウジング１９内若しくは上において、又は、個室ドア１００上において、付着されている。赤外線センサ４は、近傍の物体の距離を検出するべく、赤外線信号を放出している。赤外線センサは、第１位置から第２位置へのスライダ１２の運動の際に水洗の作動をトリガするように、センサからのスライダ１２の距離を検出するべく、適合されている。
【００３６】
[0043]  更に別の実施形態においては、超音波センサ４が、ハウジング１９内若しくは上において、又は、個室ドア１００上において、付着されている。センサ４は、近傍の物体によって反射されて帰ってきた音波を検出し、これにより、センサが距離を記録することを許容している。例えば、センサ４は、センサ４からのスライダ１２の距離に応じて、スライダ１２によって反射されて帰ってきた音波を検出している。第１位置から第２位置へのスライダ１２の平行運動に後続して、スライダ１２とセンサ４の間の既定の距離に基づいて、水洗の作動が起動されることになろう。
【００３７】
[0044]  それぞれの施錠部材の信号エミッタ１は、対応するトイレ水洗信号レシーバ３にマッチングされており、且つ、例えば、同一のバスルーム内のその他のシステムなどの、その他の近傍のシステム１０内の信号エミッタ１及び水洗信号レシーバ３のその他のものとは異なる一意の信号を使用している。一意の信号の適用により、１つの信号エミッタ１が、水洗するようにその他のトイレの水洗システムを起動することが防止されている。
【００３８】
[0045]  本発明の一実施形態においては、システム１０は、トイレ７内において発生するように水洗を起動するトイレ水洗アクチュエータ５を更に含む。本明細書において記述されているシステム１０は、アタッチメントとして、現時点のトイレ及びバスルーム個室に後から組み込むことも可能であり、又は、新しいトイレ上に直接的に製造すると共にバスルームトイレ個室に若しくは事前に製造されたバスルームトイレ個室に適用することもできよう。
【００３９】
[0046]  図３は、スライダ１２の挿入可能な端部１５とは反対側のスライダ１２の端部１７に対向しているハウジング１９の部分上における磁石又は磁化可能なプレート１８の場所を示している。プレートの形状は、図示の形状に限定されるものではなく、その理由は、形状は、矩形、円形、三角形、台形、又は別の形状であってよいからである。磁化可能な材料は、限定を伴うことなしに、鉄、ニッケル、コバルト、希土類金属、及び天然磁石を含む。ハウジング１９上の磁石又は磁化可能材料の場所及び磁石又は磁化可能材料の数は、図示のものに限定されてはいない。
【００４０】
[0047]  次に図４を参照すれば、スライダ１２の側面図が示されている。スライダ１２の端部１７上におけるスライダ磁石又は磁化可能な材料１４ａ及び１４ｂの場所は、ハウジング１９上の磁石又は磁化可能なプレート１８と磁気的に相互作用するように位置決めされている。スライダ磁石又は磁化可能な材料１４ａ及び１４ｂは、（ｉ）スライダ１２がセンサ４とアライメントするように、適切な接触が、スライダ１２とハウジング１９の間において実施されることを保証するべく、（ｉｉ）スライダ１２が個室ドアの開放及び閉鎖の際に往復方向に跳ねることを防止するべく、且つ、（ｉｉｉ）ユーザーがスライダ１２をハウジング１９に向かって十分に摺動させていない場合にスライダ１２をハウジング１９に吸着させるべく、ハウジング１９の磁石又は磁化可能なプレート１８とアライメントされている。
【００４１】
[0048]  磁石又は磁化可能な材料の強度は、解錠の際に即座にハウジング１９に接続するように、スライダ１２を吸着させるべく十分なものではあるが、スライダ１２がその延長した施錠位置に到達することを磁石又は磁化可能な材料が防止するほどに強力なものではない。ハウジング１９及び錠スライダ１２は、解錠の際に即座に、即ち、図２Ａに示されている第１位置から図２Ｂに示されている第２位置にスライダ１２を運動させた際に即座に、スライダ１２の磁石又は磁化可能な材料１４ａ及び図１４ｂが、ハウジング１９の磁石又は磁化可能な材料１８に接触するように、互いから離れた、既定の又は調節可能な距離に位置している。この結果、ユーザーが個室ドア１００を解錠した際に、スライダ１２が完全に第２位置まで運動しないことにより、スライダ１２が、水洗をもたらすイベントを起動するべく水洗信号レシーバ３によって受け取られる信号を放出するための信号エミッタ１のプロセスを開始することが妨げられるという可能性が回避されている。換言すれば、磁石によって保証されている、第２位置への十分な到達により、センサ４は、使用中である、例えば、以上において開示されているセンサなどの、センサのタイプとは無関係に、水洗信号が信号エミッタ１によって水洗信号レシーバ３に放出されるように、第２位置におけるスライダ１２の存在を十分に検知している。
【００４２】
[0049]  ハウジング１９の内側の電子コンポーネント用の電子回路には、例えば、１つ又は複数の太陽電池２３により、或いは、ハウジング１９内において収容されている１つ又は複数の電池２５により、電力供給することができる。水洗信号レシーバ３、トイレ水洗コントローラ１６、及びトイレ水洗アクチュエータ５を含む水洗メカニズム１１２用の電子回路には、１つ又は複数の太陽電池により、或いは、１つ又は複数の電池により、電力供給することができる。
【００４３】
[0050]  本発明の一実施形態においては、トイレ水洗コントローラ１６及び／又はドアハウジングコントローラ２７は、好ましくは、限定を伴うことなしに、１〜５秒、１〜１０秒、５〜２５秒、５〜５０秒、２５〜５０秒、５０〜１００秒、１００〜２００秒、１５０〜２５０秒、好ましくは、５〜２４０秒、の範囲の水洗の間の最小インターバルを設定するべく導入される、プログラム可能な時間遅延を実装するように構成されている。又、水洗の間の最小インターバルを設定するプログラム可能な時間遅延は、５秒未満又は２４０秒超となるように設定することもできる。プログラム可能な時間遅延は、手動的にプログラミングすることも可能であり、又は、最適な時間インターバルを判定するための機械学習又は深層学習技法を使用したアルゴリズムを通じて判定することもできる。プログラムミング可能な時間遅延は、ユーザーが、施錠された位置（第１位置）と解錠された位置（第２位置）の間において個室施錠部材１１０のスライダ１２を往復方向において反復的にスイッチングすることにより、短い時間インターバルにおいてトイレを反復的に水洗することを防止している。バスルームの管理者は、例えば、コンピュータ、モバイルアプリケーション、若しくは、様々な電子回路及び／又はコンピュータに基づいた技術の組合せなどの、システムコントローラ（図示されてはいない）により、自身の裁量で、時間遅延の範囲を操作しうるようになる。
【００４４】
[0051]  一実施形態においては、１つのシステムコントローラ（図示されてはいない）は、それぞれの又はすべての個々のトイレ内の時間遅延を調節する能力を有することにより、１つのトイレにとって、若しくは、この代わりに、同一のバスルーム内のすべてのトイレにとって、固有のものであってもよく、又は、建物全体内のトイレのすべてにとって中心的なものであってもよい。
【００４５】
[0052]  特定の一実施形態においては、通常のトイレとは対照的に、障害者用トイレの場合には、異なる時間遅延が適切である場合があり、その理由は、障害者用トイレは、非障害者用トイレとは異なる方式によって使用されうるからである。システムコントローラは、トイレが水洗する回数を計測し、これにより、施設管理者が、データを収集すると共に、水の効率を極大化するように設定を調節することを許容している。システムコントローラは、例えば、Bluetooth（登録商標）又は高周波を介して、無線により、データを水洗信号レシーバに送信している。又、使用されていなかったトイレの場合に、トイレをきれいな状態に維持するべく、必要とされる日々の水洗をシステム１０内にプログラミングすることもできる。システムコントローラは、スライダの動作の頻度を記録している。 
【図１Ａ】
2021511460.tif 000003
【図１Ｂ】
2021511460.tif 000004
【図１Ｃ】
2021511460.tif 000005
【図１Ｄ】
2021511460.tif 000006
【図２Ａ】
2021511460.tif 000007
【図２Ｂ】
2021511460.tif 000008
【図３】
2021511460.tif 000009
【図４】
2021511460.tif 000010
【国際調査報告】
2021511460.tif 000011
2021511460.tif 000012
2021511460.tif 000013